(57)【要約】      （修正有）【課題】利便性や収納性のみならず贈答品としてのデザイン性にも富み、液体や調味料を使用して食材を調理する際にも大変使い勝手の良い調理器セットを提供する。【解決手段】調理器セット１は、器体１０と、漏斗２０と、を少なくとも備え、器体１０の開口部１１と漏斗２０の受容部２１の最外縁２１ａとは同一の外径を有し、漏斗２０が器体１０に載置された際に全体として瓶形状を表すことを特徴とする。漏斗２０は、排出孔２２に着脱可能な取付具３０をさらに備えることが好ましい。また、器体１０は計量カップであり、器体１０と漏斗２０とが透明な樹脂又は透明なガラスから構成されることが好ましい。器体１０と漏斗２０との間には、レモン絞り器４１０やチーズおろし器などの少なくとも一つ以上の介装部材が着脱自在に載置されることが好ましい。レモン絞り器４１０は、保管の際にはドーム部４１２が漏斗２０の受容部２１内に収容されることが好ましい。【選択図】図４
0003163763.tif 000002
【実用新案登録請求の範囲】
【請求項１】
開口部を上側に有した器体と、
排出孔と該排出孔を収容する絞り延長部と受容部とが形成され、かつ、前記受容部を介して前記器体の前記開口部に着脱可能な漏斗と、
を少なくとも備え、
前記器体の前記開口部と前記漏斗の前記受容部の最外縁とは同一の外径を有し、
前記漏斗が前記器体に載置された際に全体として瓶形状を表すことを特徴とする調理器セット。
【請求項２】
前記漏斗の外周面には少なくとも一つの溝部が、前記絞り延長部から前記受容部まで延びるように設けられていることを特徴とする請求項１記載の調理器セット。
【請求項３】
前記漏斗は、前記排出孔に着脱可能な取付具をさらに備え、
前記取付具には、一端側に前記排出孔の口径と略同一の口径を有するとともに他端側に前記口径より小さな口径を有した貫通穴が設けられ、
前記取付具は、前記一端側からでも前記他端側からでも前記排出孔に着脱可能に形成され、
前記取付具は、保管の際には前記より小さな口径を有する前記一端が前記排出孔の内側に収容されるように取り付けられるのに対し、前記漏斗に取り付けて使用する際には前記一端が前記排出孔から外側に延びるように取り付けられることを特徴とする請求項１又は２記載の調理器セット。
【請求項４】
前記器体が計量カップであり、
前記器体と前記漏斗との少なくとも一方が透明な樹脂又は透明なガラスから構成されることを特徴とする請求項１〜３のいずれか１項記載の調理器セット。
【請求項５】
前記器体と前記漏斗との間には少なくとも一つ以上の介装部材が着脱自在に載置され、
前記介装部材は、レモン絞り器、薬味おろし器、ゆで卵潰し器、チーズおろし器、キャップオープナー及び黄卵分離器のいずれかから選択され、かつ、
前記介装部材が前記漏斗とともに前記器体に載置された際に全体として瓶形状を表すことを特徴とする請求項１〜４のいずれか１項記載の調理器セット。
【請求項６】
前記レモン絞り器は、ドーム部が中央に形成され、かつ、保管の際には該ドーム部が前記漏斗の前記受容部内に収容されることを特徴とする請求項５記載の調理器セット。
【考案の詳細な説明】
【技術分野】
【０００１】
本考案は、調理器セットに関するものであり、詳しくは、利便性及び収納性とともに、贈答品としてのデザイン性にも富んだ調理器セットに関するものである。
【背景技術】
【０００２】
従来、一般家庭において利用されている調理器を一体化した調理器セットとして、例えば、特許文献１〜３に開示された器具が既に提案されている。ここで、特許文献１及び２に開示の調理器セットは個人用や赤ん坊用の少量の食品調理に特化したものであり、具体的には、把手部が外側に延びたすり鉢状容器の上に、ほぼ同一径を有する複数の調理器が着脱可能に設けられ、これらの調理器を覆うように蓋体がさらに設けられた構造をなす。
【０００３】
また、特許文献３の調理器セットは、特許文献１，２に記載のようなすり鉢状容器とは異なり、把手部が外側に延びた計量カップを備え、その上に複数の調理具と蓋体とが着脱自在に装着された構造を採用している。
【０００４】
しかしながら、上述の調理器セットを含めた従来品においては、セットを構成する個々の調理器に統一的なデザインを付与することはあっても、構成部品を組み付けた状態では、纏まりのある洗練されたデザインを十分発揮するものはなかった。従って、従来の調理器セットは、母親などの調理を行う本人またはその家族が自身の生活に使用するために購入されることが多く、冠婚葬祭などの引出物など他人への贈答品としての商品価値を発揮する類のものではなかった。
【０００５】
また、特許文献１，２等に示した従来品においては、調理の際に、水、酒、みりん、等の液体や調味料を計量したり、その注入を補助したりする調理器が設けられていなかった。従って、液体や調味料を使用して食材を調理する際には調理者は従来の調理器セットだけでなく、漏斗や計量カップを別途用意しなければならず、この点では従来品は調理者を満足させるものではなく、改善の余地があった。
【先行技術文献】
【特許文献】
【０００６】
【特許文献１】特開平１０−２１１０８８号公報
【特許文献２】登録実用新案第３１３７４４３号公報
【特許文献３】実開昭６３−１０５８２２号公報
【考案の概要】
【考案が解決しようとする課題】
【０００７】
本考案は、このような従来の実情に鑑みて提案されたものであり、従来の技術が有する欠点を排除した調理器セットを提供することを目的とする。すなわち、本考案は、利便性や収納性のみならず、贈答品としてのデザイン性にも富んだ調理器セットを提供することを目的とする。
【０００８】
さらに、本考案は、液体や調味料を使用して食材を調理する際にも、大変使い勝手の良い調理器セットを提供することを目的とする。
【課題を解決するための手段】
【０００９】
本考案者は、鋭意検討した後、この種の従来の調理器セットでは、着脱自在の構成部品として漏斗が使用された例が少ないこと、漏斗の形状がワインボトルなどの瓶の括れ部分の形状に似通っていること、この漏斗を構成部品の一つとして採用し、他の構成部品と関連させて構成させる（組み付ける）ようにすれば、調理器セット全体としてワインボトル等の瓶形状を表現・演出することを見出し、本考案を完成するに至った。
【００１０】
さらに、本考案者は、他の構成部品として、一端が排出孔よりも小さな貫通穴を備えた取付具を、排出孔とほぼ同寸法の貫通穴他端を介して漏斗に載置すれば、単位時間当たりの排出流量が抑制可能になること、及び、この取付具を前記一端側からでも漏斗に着脱可能な構成にすれば、調理器セットの全体の瓶形状（シルエット）を損なうことなく、取付具を調理器セットと一体に保管することができることを見出し、本考案の好適な態様を完成するに至った。
【００１１】
さらに、本考案者は、他の構成部品（調理器）として、計量カップ、レモン絞り器、薬味おろし器、チーズおろし器、ゆで卵潰し器、キャップオープナー、黄卵分離器等が好ましいことを見出し、本考案の好適な態様を完成するに至った。
【００１２】
さらに、本考案者は、漏斗の一部が他の構成部品であるレモン絞り器の一部と相補的な形状を成すことに気付き、両者を対向するように載置すれば、収納性をさらに改善することを見出し、本考案の好適な態様を完成するに至った。
【００１３】
すなわち、本考案は、少なくとも次の構成・特徴を採用するものである。
１．開口部を上側に有した器体と、
排出孔と該排出孔を収容する絞り延長部と受容部とが形成され、かつ、前記受容部を介して前記器体の前記開口部に着脱可能な漏斗と、
を少なくとも備え、
前記器体の前記開口部と前記漏斗の前記受容部の最外縁とは同一の外径を有し、
前記漏斗が前記器体に載置された際に全体として瓶形状を表すことを特徴とする調理器セット。
２．前記漏斗の外周面には少なくとも一つの溝部が、前記絞り延長部から前記受容部まで延びるように設けられていることを特徴とする１記載の調理器セット。
３．前記漏斗は、前記排出孔に着脱可能な取付具をさらに備え、
前記取付具には、一端側に前記排出孔の口径と略同一の口径を有するとともに他端側に前記口径より小さな口径を有した貫通穴が設けられ、
前記取付具は、前記一端側からでも前記他端側からでも前記排出孔に着脱可能に形成され、
前記取付具は、保管の際には前記より小さな口径を有する前記一端が前記排出孔の内側に収容されるように取り付けられるのに対し、前記漏斗に取り付けて使用する際には前記一端が前記排出孔から外側に延びるように取り付けられることを特徴とする１又は２記載の調理器セット。
４．前記器体が計量カップであり、
前記器体と前記漏斗との少なくとも一方が透明な樹脂又は透明なガラスから構成されることを特徴とする１〜３のいずれか１項記載の調理器セット。
５．前記器体と前記漏斗との間には少なくとも一つ以上の介装部材が着脱自在に載置され、
前記介装部材は、レモン絞り器、薬味おろし器、ゆで卵潰し器、チーズおろし器、キャップオープナー及び黄卵分離器のいずれかから選択され、かつ、
前記介装部材が前記漏斗とともに前記器体に載置された際に全体として瓶形状を表すことを特徴とする１〜４のいずれか１項記載の調理器セット。
６．前記レモン絞り器は、ドーム部が中央に形成され、かつ、保管の際には該ドーム部が前記漏斗の前記受容部内に収容されることを特徴とする５記載の調理器セット。
【考案の効果】
【００１４】
本考案の調理器セットは、個々の構成部品の収納性や機能性に優れているだけでなく、一構成部品の漏斗が有する外形を利用して、調理器セット全体としてユニークな瓶形状を表現・演出することが可能となる。つまり、価格・使い勝手が優先される調理容器分野の従来品においては今まで重要視されていなかった個々の部品が組み付けられた状態での全体的な外観・美感にも焦点をあてている。従って、自分用に購入するだけでなく、冠婚葬祭などの贈答用としての利用も可能である。例えば、本物のワインと並べて包装したものを贈答品とすれば、実用的かつ見た目も華やかであるため、贈られた者に大変喜ばれるものになる。
【００１５】
本考案の好適な調理器セットは、その構成部品の漏斗にさらに上記のような取付具が着脱可能に取り付けられるため、単位時間当たりの排出流量を少なくしたりや漏斗排出口（注ぎ口）を小さくすることができ、この漏斗が使用可能な場面・機会がより増大するものとなる。なお、この取付具は上記のように漏斗先端部分に取付可能であるため、全体の外観としてワインボトルにさらにワインの栓（コルク栓）を付与したデザインを演出することができる。
【００１６】
本考案の好適な調理器セットは、漏斗の他に計量カップを有し、これらの間にレモン絞り器、薬味おろし器、ゆで卵潰し器、チーズおろし器、キャップオープナー、黄卵分離器等の調理器を介装部材として着脱自在に載置させることができる。この介装部材の数を増大させることで
調理の際での調理器セットの利便性をさらに高めることができる。また、計量カップや漏斗等を透明な樹脂製（又は透明なガラス製）のものとすれば、個々に利用する際にも使い易くなるだけでなく、保管の際にはこれらに挟まれた介装部材が透けて見えるため、介装部材を判別し易くなる。
【００１７】
本考案の好適な調理器セットは、介装部材のレモン絞り器を上記のように漏斗に隣接して載置させれば、飛躍的に収納性が増すだけでなく、見た目の美感も向上する。
【図面の簡単な説明】
【００１８】
【図１】実施例１の調理器セットを示した分解斜視図である。
【図２】本考案の取付具を説明した図である。
【図３】本考案の漏斗の使用状態を説明した図である。
【図４】実施例２の調理器セットを示した分解斜視図である。
【図５】実施例３の調理器セットを示した分解斜視図である。
【図６】実施例１〜３の調理器セットを並べて示した斜視図である。
【図７】実施例１〜３の調理器セットを並べて示した断面図である。
【考案を実施するための形態】
【００１９】
以下、本考案を図面に示す実施の形態に基づき説明するが、本考案は、下記の具体的な
実施形態に何等限定されるものではない。
【実施例１】
【００２０】
（調理器セットの構造）
図１は、本考案の実施例１に係る調理器セット１の分解斜視図を示す。調理器セット１は、最小限の構成要素として、開口部１１を上側に有した器体１０と、漏斗２０と、を少なくとも備える。漏斗２０は、受容部２１と排出孔２２とこれらを連結した絞り延長部２３とを有する。受容部２１に注がれた液体は、一旦その内部空間に収容されてから、これに連結した絞り延長部２３の内部筒状空間に流入し、最終的には排出孔２２から流出することになる。
【００２１】
漏斗２０は、その受容部２１を介して器体１０の開口部１１に着脱可能になる。加えて、器体１０の開口部１１における最外縁１１ａと漏斗２０の受容部２１における最外縁２１ａとは略同一の外径を有する。本考案の調理器セット１は、以上のように構成することで、漏斗２０が器体１０に載置された際に調理器セット１全体として瓶形状を表すことを特徴とする。
【００２２】
なお、図１の例では、器体１０は略円筒状を成し、漏斗２０の受容部２１は略半球状を成しているが、必ずしもこれに限定されず、例えば、器体１０の開口部１１の直径が底部１２から最外縁１１ａに向かって徐々に直線的又は曲線的に増加又は減少するようなものでもよく、漏斗２０の受容部２１は略円錐状を成すようなものでもよい。
【００２３】
なお、漏斗２０の外周面２５には溝部（図示の例では縦溝）２６が少なくとも一つが設置（刻設）されていることが好ましい。この縦溝２６は、漏斗２０の使用の際（特に漏斗２０の排出孔２２より若干大きな口径の開口部を備えた液体収容器（例えば瓶、図示せず）を漏斗２０とともに使用する際に）、下記のような利点を発揮する。つまり、漏斗２０から液体収容器への液体の供給（流入）によって液体収容器内部の空気を常に逃がす必要が生ずるが、何の措置も取らなければ、液体収容器に載置された漏斗２０の絞り延長部２３や受容部２１の外周面２５によって液体収容器の開口部が完全に塞がってしまう。そこで、図示のような縦溝２６を外周面２５の一部に設けていれば、液体収容器の開口部が該開口部に注入された漏斗２０によって完全に閉塞することなく、常に内部空気の逃げ道（通気経路）を確保することが可能になる。
【００２４】
また、本考案の調理器セット１は、後述するように、漏斗２０の排出孔２２に着脱可能な取付具３０をさらに備えることが好ましい。具体的には、排出孔２２の付近に、取付具３０の着脱を可能にする結合部２４が設けられていることが好ましい。この結合部２４は、例えば、漏斗２０の絞り延長部２３の内径と同一の内径を有するが、その肉厚より薄い肉厚を有するように構成してもよい。
【００２５】
図２に漏斗２０と取付具３０との取付状態を示す分解断面図を示す。ここで、図２（ａ）は、取付具３０を漏斗２０とともに保管する場合の取付状態を示し、一方、図２（ｂ）は取付具３０を載置して漏斗２０を使用する場合の取付状態を示す。
【００２６】
また、図３は漏斗２０の使用状態（斜視図）を説明した図であり、図３（ａ）は取付具３０を組み合せて使用する状態を示し、図３（ｂ）は漏斗２０を単独で使用する状態を示す。
【００２７】
この取付具３０には、下端３１側に口径Ｄａ１を有するとともに、上端３２側に口径Ｄａ１より大きな口径Ｄａ２を有した貫通穴３３が設けられる。この取付具３０は、図１及び図２に示すように、下端３１側からでも上端３２側からでも漏斗２０の結合部２４（つまり、排出孔２２）に着脱可能である。より具体的には、取付具３０の下端３１側においては、貫通穴３３を所定の厚さで囲繞する（取り囲む）外縁部３４が形成されるようにしてもよい。ここで、外縁部３４によって区画される貫通穴３３の口径は、ある深さまで上端３２側での口径Ｄａ２のまま一定であり、漏斗２０の結合部２４の外径Ｄｒ１と略同一である。なお、さらにこれより内部では下端３１の口径Ｄａ１になるまで徐々に小さくなっている。
【００２８】
一方、下端３１側においては、貫通穴３３を所定の厚さで囲繞する（取り囲む）内部突出部３５と、外縁部３４と、これらの要素３５，３４によって画定された溝部３６（図示の例では、これらの間に画定された円筒状の空洞部）と、が形成されるようにしてもよい。このように形成することで、溝部３６が、漏斗２０の結合部２４に着脱自在に嵌合させることが可能になる。
【００２９】
図２に示すように、取付具３０は下端３１側からでも上端３２側からでも漏斗２０の結合部２４に着脱可能であるが、取付状態には以下に示すように差異がある。つまり、取付具３０は、不使用時の保管の際には、より小さな口径Ｄａ１を有する下端３１（及び内部突出部３５）が排出孔２２の内側に収容されるように取り付けられる。一方、漏斗２０に取り付けて漏斗２０とともに使用する際には下端３１及び内部突出部３５が排出孔２２よりも外側に延びるように取り付けられる（図３（ａ）も参照）。つまり、排出孔２２は、取付具３０の貫通穴３３によってその断面流路形状を徐々に減少しながらその流路長さが延長することになる。
【００３０】
なお、取付具３０は、ゴム、エラストマー、シリコン等の弾性を有する材料から作られていることが好ましい。これにより、漏斗２０との着脱が容易になるとともに、漏斗２０との嵌合時の若干の寸法誤差を吸収し、良好な嵌合状態を確保することができる。
【００３１】
取付具３０を、図３（ａ）に示すように、その配向（取付状態）を選択して漏斗２０に取り付けることで、単位時間当たりの排出流量を少なくしたりや漏斗排出口（注ぎ口）を小さくすることができ、漏斗２０としての機能性が増し（使い勝手が良くなり）、その使用可能な場面・機会がより増大するものとなる。なお、この取付具３０の外形・取付構造から、調理器セット１全体としてワインボトルにさらにワインの栓（コルク栓）を付与したかのようなデザインも演出することができる（図７参照）。
【００３２】
また器体１０は、好ましくは計量カップであり、さらに好ましくは、計量目盛が側面部１３に付された計量カップであることが好ましい。計量カップとしてより効果的に機能させるために、器体１０内部が外部から目視で確認できるように器体１０の少なくとも側面部１３は透明な材料（例えば、透明な樹脂、透明なガラス）から作られていることが好ましい。
【００３３】
なお、漏斗２０や器体１０には、外周方向の相対的な移動を制限する係止部２ａ，２ｂが設けられても良い。図示の例では、半円形の凸部２ａが漏斗２０の最外縁２１ａに一体的に設けられ、半円形の凹部２ｂが器体１０の最外縁１１ａに一体的に設けられているが、互いの移動をある程度制限できれば上記構成に限定されない。例えば、上記凸部２ａが器体１０側に、上記凹部２ｂが漏斗２０側に設けられてもよい。
【実施例２】
【００３４】
次に、本考案の別の実施例について図面を参照しながら例示する。図４は、本考案の実施例２に係る調理器セットの分解斜視図を示す。図４に示すように、器体１０と漏斗２０との間には、介装部材として、レモン絞り器４１０が着脱自在に載置されている。
【００３５】
レモン絞り器４１０は、図４に示すように、器体１０の開口部１１や漏斗２０の受容部２１の外形・外径とほぼ同様な外縁部４１１を備えている。また、レモン絞り器４１０の外縁部４１１には、漏斗２０の最外縁２１ａに設けられた係止部（図示の例では凸部２ａ）に対応する係止部（図示の例では凹部３ｂ）と、器体１０の最外縁１１ａに設けられた係止部（図示の例では凹部２ｂ）に対応する係止部（図示の例では外縁嵌合部４１１ａ上の凸部３ａ）と、が少なくとも一対以上（図示の例では二対）設けられていることが好ましい。
【実施例３】
【００３６】
図５は、本考案の実施例３に係る調理器セットの分解斜視図を示す。図５に示すように、器体１０と漏斗２０との間には、複数（好ましくは多数）の介装部材が着脱自在に載置されている。介装部材には、レモン絞り器４１０、薬味おろし器４２０、ゆで卵潰し器４３０、チーズおろし器４４０、キャップオープナー４５０、黄卵分離器４６０などが挙げられるが、必ずしもこれに限定されず、調理器具として使用できるものであればよい。また、これらの介装部材４１０〜４６０全てを用意して介装させる必要は無く、ユーザーの必要に応じて購入すればよい。
【００３７】
これらの介装部材４１０〜４６０は、器体１０の開口部１１や漏斗２０の受容部２１の外形・外径とほぼ同様な外縁部４１１，４２１，４３１，４４１，４５１，４６１と、器体１０又は互いに嵌合可能な外縁嵌合部４１１ａ，４２１ａ，４３１ａ，４４１ａ，４５１ａ，４６１ａとを備えている。なお、図５に示す大半の介装部材４２０，４３０，４４０，４５０，４６０は、円形の外縁部４２１，４３１，４４１，４５１，４６１を備えたほぼ扁平な板である。
【００３８】
また、これらの外縁部４１１，４２１，４３１，４４１，４５１，４６１や外縁嵌合部４１１ａ，４２１ａ，４３１ａ，４４１ａ，４５１ａ，４６１ａには、実施例２で説明したような互いに同一寸法・形状の係止部（具体的には、凸部３ａ、凹部３ｂ）が、少なくとも一対以上（図示の例では二対）形成されていることが好ましい。従って、係止部３ａ，３ｂは、隣接して載置される器体１０、漏斗２０、介装部材４１０，４２０，４３０，４４０，４５０，４６０の対応する係止部２ｂ，２ａ，３ｂ，３ａに容易に嵌合する。
【００３９】
実施例３の調理器セット１をこのように構成することで、介装部材４１０〜４６０が漏斗２０とともに器体１０に載置された際に調理器セット１全体として瓶形状を表す。
【００４０】
図４や図５に示すレモン絞り器４１０は、ドーム部４１２が中央に形成され、かつ、保管の際にはドーム部４１２が漏斗２０の受容部２１内に収容されることが好ましい。このような形状のレモン絞り器４１０を図示のように漏斗２０に隣接して相補的に載置させれば、飛躍的に収納性が増すだけでなく、見た目の美感も向上する。
【００４１】
図６及び図７は、実施例１ないし実施例３の調理器セット１の斜視図及び断面図を並べて示したものである。図６及び図７に示すように、介装部材４１０〜４６０を増減させるだけで、販売にあたって簡単に種々の商品グレードを設定可能である。
【００４２】
以上、本考案を上記実施例に基づいて詳細に説明したが、必ずしもこれに限定されない。例えば、器体１０、漏斗２０、介装部材等の断面形状を種々変更することで、調理器セット１全体により表現される形状をワインボトル以外に、例えば、一升瓶、ペットボトル、ウィスキーボトル等の他の瓶形状に変更してもよい。
【産業上の利用可能性】
【００４３】
従来から、幾つかの調理器が一体となった調理器セットは存在し、これらの従来品も一般家庭においてある程度使用されている。しかしながら、本考案の調理器セットはその構成部品の個々の構造・機能だけでなく相互の組付状態までも考慮し、調理器セット全体の収納性及びデザイン性を飛躍的に高めたものである。
【００４４】
本考案の調理器セットは、上記特徴・長所をさらに有しているため、従来品では創出し得なかった新たな利用価値や利用場面を提供するものである。例えば、本考案の調理器セットを結婚式等の祝事の贈答品として利用される可能性が高い。この際に、本物の高級ワインも一緒に梱包すれば、大変趣向を凝らした贈答品となる。また、一般家庭の室内や飲食店等の店内での観賞用のオブジェとして利用される可能性が高い。従って、本考案の調理器セットは、産業上の利用可能性が非常高い。
【符号の説明】
【００４５】
１    調理器セット
２ａ，２ｂ    係止部（凸部、凹部）
３ａ，３ｂ    係止部（凸部、凹部）
１０    器体（計量カップ）
１１    開口部
１１ａ    最外縁
２０    漏斗
２１    受容部
２１ａ    最外縁
２２    排出孔
２３    絞り延長部
２４    結合部
２５    外周面
２６    溝部（縦溝）
３０    取付具
３１    上端
３２    下端
３３    貫通穴
３４    外縁部
３５    内部突出部
３６    溝部
４１０    介装部材（レモン絞り器）
４１２    ドーム部
４２０    介装部材（薬味おろし器）
４３０    介装部材（ゆで卵潰し器）
４４０    介装部材（チーズおろし器）
４５０    介装部材（キャップオープナー）
４６０    介装部材（黄卵分離器）
４１１，４２１，４３１，４４１，４５１，４６１    外縁部
４１１ａ，４２１ａ，４３１ａ，４４１ａ，４５１ａ，４６１ａ    外縁嵌合部
【図１】
0003163763.tif 000003
【図２】
0003163763.tif 000004
【図３】
0003163763.tif 000005
【図４】
0003163763.tif 000006
【図５】
0003163763.tif 000007
【図６】
0003163763.tif 000008
【図７】
0003163763.tif 000009